(57)【要約】【課題】  電源状態がスタンバイ状態で特定の要求を受け付けることに応じて、複数の機能部に電源を供給して特定の情報を取得したら、各機能部への電源の供給を停止する状態に遷移させる。【解決手段】    複数の機能部を備える画像形成装置の制御方法であって、複数の機能部に対して電力の供給を停止するスタンバイ状態で、複数の機能部のメンテナンスを行うためのモードに移行させる要求を受け付けた場合、複数の機能部へ電力を供給するよう制御し、電力が供給された複数の機能部から機能部の情報を取得して、記憶手段に記憶されていた機能部の情報を更新することを特徴とする。【選択図】  図５
2015170002.tif 000002
【特許請求の範囲】
【請求項１】
複数の機能部と、
各機能部への電力の供給を制御する電源制御手段と、
各機能部から特定の情報を取得する取得手段と、
前記取得手段が取得した前記特定の情報を記憶する記憶手段と、
前記複数の機能部に対して電力の供給を停止するスタンバイ状態で、前記複数の機能部のメンテナンスを行うためのモードに移行させる要求を受け付ける受付手段と、を備え、
前記要求を受け付けた場合、前記電源制御手段は、前記複数の機能部へ電力を供給するよう制御し、前記取得手段は、前記電源制御手段によって電力が供給された前記複数の機能部から前記機能部の情報を取得して、前記記憶手段に記憶されていた前記機能部の情報を更新する更新手段と、
を備えることを特徴とする画像形成装置。
【請求項２】
前記記憶手段は、不揮発性のメモリであることを特徴とする請求項１記載の画像形成装置。
【請求項３】
前記情報は、各機能部のバージョン情報、設定情報を含むことを特徴とする請求項１記載の画像形成装置。
【請求項４】
前記電源制御手段は、前記スタンバイ状態で各機能部に対する要求を受け付けることに応じて、各機能部へ電源を供給することを特徴とする請求項１記載の画像形成装置。
【請求項５】
前記機能部は、プリンタ装置、スキャナ装置、画像処理装置を含むことを特徴とする請求項１乃至４のいずれか１項に記載の画像形成装置。
【請求項６】
前記受付手段が受け付ける要求は、サービスマンによるメンテナンスモードへの移行する要求であることを特徴とする請求項１記載の画像形成装置。
【請求項７】
複数の機能部を備える画像形成装置の制御方法であって、
各機能部への電力の供給を制御する電源制御工程と、
各機能部から特定の情報を取得する取得工程と、
前記取得工程が取得した前記特定の情報を記憶手段に記憶する記憶工程と、
前記複数の機能部に対して電力の供給を停止するスタンバイ状態で、前記複数の機能部のメンテナンスを行うためのモードに移行させる要求を受け付ける受付工程と、を備え、
前記要求を受け付けた場合、前記電源制御工程で前記複数の機能部へ電力を供給するよう制御し、前記取得工程で電力が供給された前記複数の機能部から前記機能部の情報を取得して、前記記憶手段に記憶されていた前記機能部の情報を更新する更新工程と、
を備えることを特徴とする画像形成装置の制御方法。
【請求項８】
請求項７記載の画像形成装置の制御方法をコンピュータに実行させることを特徴とするプログラム。
【発明の詳細な説明】
【技術分野】
【０００１】
本発明は、画像形成装置、画像形成装置の制御方法、及びプログラムに関するものである。
【背景技術】
【０００２】
近年、環境保護の観点から、画像形成装置を含む電子機器の低消費電力化が求められている。これを実現するため、画像形成装置では装置内の各デバイスへの電力供給を必要に応じて停止して省電力モードへと移行する手法を採用している。しかし、省エネを実現し過ぎると、ジョブ実行や画像形成装置の操作性が悪くなるという問題がある。例えば、各デバイスへ通電および初期化してからのジョブ実行となるため、通常状態（スタンバイ状態）からジョブを実行するより、画像形成処理を開始するまでに時間を要してしまう。
【０００３】
特許文献１によると、省電力モード移行前に各デバイスの設定値を不揮発性の記憶媒体に記憶しておき、省エネモードから復帰時には、省エネモードに入る前の設定条件で復帰すると記述されている。このように、起動時に保持したキャッシュデータを使用して復帰することで、復帰時間を短く抑えることで省エネを実現しつつ、ユーザの操作性を高めている。
【０００４】
また、特許文献２によると、ユーザが実行したジョブの実行回数に基づいて、デバイスの各々の使用状況を特定し、この使用状況に応じて、省電力モードの設定を行うことが記載されている。このように、画像形成装置内の各デバイスへの通電状態をユーザによって最適にすることで、ユーザに適した省エネを実現しつつ、ユーザの操作性を高めている。
【先行技術文献】
【特許文献】
【０００５】
【特許文献１】特開平８−２５４９２２号公報
【特許文献２】特開２０１１−２４８７３４号公報
【発明の概要】
【発明が解決しようとする課題】
【０００６】
前述したように、特許文献１によると、不揮発性の記憶媒体に確保されるキャッシュを使用して復帰することで、操作性を落とさず省エネを実現することは可能である。しかしながら、省エネモード移行前に起きた異常について、復帰後すぐには各デバイスの電源が入らないために把握できず、実際にジョブを実行するまで当該異常の有無に気づかない。
よって、各デバイスを動作させないが設定値や画像形成装置の状態を確認するような、サービスマン等が操作するモードでは異常検知できず、サービス操作性を低下させる問題がある。
【０００７】
また、特許文献２によると、ユーザのジョブ実行状況によって、ユーザに適した省エネと操作性を高めることは可能である。しかしながら、ジョブとは無関係の操作であるサービスメンテナンスモードに関しては、操作性が向上されないという問題がある。
【０００８】
本発明は、上記の課題を解決するためになされたもので、本発明の目的は、電源状態がスタンバイ状態で特定の要求を受け付けることに応じて、複数の機能部に電源を供給して特定の情報を取得したら、各機能部への電源の供給を停止する状態に遷移できる仕組みを提供することである。
【課題を解決するための手段】
【０００９】
上記目的を達成する本発明の画像形成装置は以下に示す構成を備える。
複数の機能部と、各機能部への電力の供給を制御する電源制御手段と、各機能部から特定の情報を取得する取得手段と、前記取得手段が取得した前記特定の情報を記憶する記憶手段と、前記複数の機能部に対して電力の供給を停止するスタンバイ状態で、前記複数の機能部のメンテナンスを行うためのモードに移行させる要求を受け付ける受付手段と、を備え、前記要求を受け付けた場合、前記電源制御手段は、前記複数の機能部へ電力を供給するよう制御し、前記取得手段は、前記電源制御手段によって電力が供給された前記複数の機能部から前記機能部の情報を取得して、前記記憶手段に記憶されていた前記機能部の情報を更新する更新手段と、を備えることを特徴とする。
【発明の効果】
【００１０】
本発明によれば、電源状態がスタンバイ状態で特定の要求を受け付けることに応じて、複数の機能部に電源を供給して特定の情報を取得したら、各機能部への電源の供給を停止する状態に遷移できる。
【図面の簡単な説明】
【００１１】
【図１】画像形成装置の構成を説明するブロック図である。
【図２】画像形成装置における各デバイスの通電状態を示す図である。
【図３】画像形成装置における画像形成装置の電源供給状態の遷移を示す図である。
【図４】図１に示したキャッシュの情報を説明する図である。
【図５】画像形成装置の制御方法を説明するフローチャートである。
【図６】画像形成装置の制御方法を説明するフローチャートである。
【図７】画像形成装置の制御方法を説明するフローチャートである。
【図８】図１に示したＵＩに表示されるＵＩ画面の一例を示す図である。
【図９】図１に示したＵＩに表示されるＵＩ画面の一例を示す図である。
【発明を実施するための形態】
【００１２】
次に本発明を実施するための最良の形態について図面を参照して説明する。
＜システム構成の説明＞
〔第１実施形態〕
【００１３】
図１は、本実施形態を示す画像形成装置の構成を説明するブロック図である。本例は、画像形成装置がスキャナ機能部と、プリント機能部と、データ通信機能部を含む複数の機能部を備える複合機を例として詳細に説明する。
【００１４】
図１において、２はスキャナ装置で、原稿から光学的に画像を読み取りデジタル画像に変換する。４はプリンタ装置で、デジタル画像を紙デバイスに出力する。１０７は操作部で、本装置の操作を行なうために使用される。また、操作部１０７には、画像形成装置１の操作を行った結果や状態を確認するためのＵＩ１０９を有している。１０４はハードディスク装置で、デジタル画像や制御プログラム等を記憶する。
【００１５】
１０８はＦＡＸ装置で、電話回線等にデジタル画像を送信受信する処理を行う。１０はコントローラで、上記各部と接続され各モジュールに指示を出す事により画像形成装置上でジョブを実行することが可能に構成されている。
なお、画像形成装置１は、ＬＡＮ１０６経由でコンピュータ８からデジタル画像の入出力、ジョブの発行や機器の指示等も行なうことが可能である。
【００１６】
また、スキャナ装置２は、ＲＯＭ２４に格納されている制御プログラムをロードし、ＣＰＵ２３が実行することで動作する。自動的に原稿束を逐次入れ替えることが可能な原稿給紙ユニット２１、原稿を光学スキャンしデジタル画像に変換する事が可能なスキャナユニット２２から成り、変換された画像データはコントローラ１０に送信される。
【００１７】
さらに、プリンタ装置４は、ＲＯＭ４５に格納されている制御プログラムをロードし、ＣＰＵ４４が実行することで動作する。紙束から一枚ずつ逐次給紙可能な給紙ユニット４３、給紙した紙に画像データを印刷するためのマーキングユニット４１、印刷後の紙を排紙するための排紙ユニット４２から成る。
【００１８】
コントローラ１０は、ＨＤＤ装置１０４に格納されている制御プログラムをロードし、ＣＰＵ１０３が実行することで動作する。ＣＰＵ１０３は、スキャナ装置２及びプリンタ装置４と画像データの送受信及び保存を行う。また、ＨＤＤ装置１０４内には、各デバイスの情報をキャッシュ１０５として保存している。すなわち、コントローラ１０ではスキャナ装置２から受信した画像データを、メモリ１０２に一時保存する。その後、ハードディスク装置１０４へと画像データを格納する事で画像のスキャンと保存が完了する。
【００１９】
コントローラ１０はハードディスク装置１０４から画像データをメモリ１０２に一時保存し、メモリ１０２からプリンタ装置４に画像データを送信することによりプリント出力を行うことができる。
【００２０】
また、メモリ１０２に保存した画像データを汎用画像処理部５１で、例えば縮小等の処理を行ったものを再度メモリ１０２に保存することが可能な画像処理ユニット５を持っている。画像処理ユニットは、ＨＤＤ装置１０４に格納されている制御プログラムをロードし、ＣＰＵ５２が実行することで動作する。この汎用画像処理部は必要に応じて様々な場面で使用する。
画像形成装置１は、コントローラ１０が制御する操作部１０７を有し、ユーザ操作もしくは、ＬＡＮ１０６からの指示をＣＰＵ１０３が解釈し、以下に示す多彩なジョブを実行可能である。
【００２１】
図８、図９は、図１に示したＵＩ１０９に表示されるＵＩ画面の一例を示す図である。以下の機能ジョブは、ＵＩ画面に表示されたボタン（コピー、スキャンして送信、受信トレイ、セキュアプリント等）を選択することで機能ジョブの設定画面が表示される。特に、図８は標準画面であり、図９は、標準画面から選択されるボタンで遷移した後のメンテナンス画面に対応する。
【００２２】
〔複写機能ジョブ〕
本ジョブは、スキャナ装置２から読み込んだ画像をハードディスク装置１０４に保存し、同時にプリンタ装置４を使用して印刷を行なう。
〔画像送信機能ジョブ〕
本ジョブは、スキャナ装置２から読み込んだ画像をハードディスク装置１０４に保存し、ＬＡＮ１０６を経由してコンピュータ８に送信する。
〔画像保存機能ジョブ〕
本ジョブは、スキャナ装置２から読み込んだ画像をハードディスク装置１０４に保存し、必要に応じて画像送信や画像印刷を行なう。
〔画像印刷機能ジョブ〕
本ジョブは、コンピュータ８から送信された例えばページ記述言語を解析し、プリンタ装置４で印刷する。
〔ＦＡＸ受信プリント機能ジョブ〕
本ジョブは、ＦＡＸ装置１０８から受信したＦＡＸ画像をハードディスク装置１０４に保存し、同時にプリンタ装置４を使用して印刷を行う。
〔ＦＡＸ送信処理機能ジョブ〕
本ジョブは、スキャナ装置２から読み込んだ画像をハードディスク装置１０４に保存し、同時にＦＡＸ装置１０８から公衆回線に送信する。
なお、多くのケースでハードディスク装置１０４を介在するのは、ジョブに失敗した場合や、電源断等の異常状態からリカバリするためである。
【００２３】
６は電源装置で、画像形成装置１における電源を供給する。画像形成装置１がオフ時、ＡＣ電源７はスイッチ７１により絶縁されている。スイッチ７１をＯＮにすることでＡＣ−ＤＣコンバータ６１にＡＣ電源が供給され、ＤＣ電源が作られる。この装置は電源制御部１０１の指示により装置全体を４つの独立した電源制御が可能である。すなわち、電源制御部１０１から出力される信号１１０の論理（Ｈｉレベル／Ｌｏｗレベル）に応じて、コントローラ部電力６２の電源の供給と遮断とを切り替えるスイッチＳ１の状態（ＯＦＦ／ＯＮ）が切り換わる。
【００２４】
同様に、信号１１１は、プリンタ部電力６３の電源の供給と遮断とを切り替えるスイッチＳ２、信号１１２はスキャナ部電力６４の電源の供給と遮断とを切り替えるスイッチＳ３、信号１１３は汎用画像処理部電力６５の電源の供給と遮断とを切り替えるスイッチＳ２を制御可能である。電源制御部１０１はこれらの信号１１０〜１１３を制御することで、適切に画像形成装置１の必要なデバイスに電力を供給する。
【００２５】
ＣＰＵ１０３はこれらのスイッチ手段１１０ないし１１３を用いることで、適切に画像形成装置１の必要な場所に電力を供給する。以下に画像形成装置の状態遷移および、その電力状態ついて記載する。
【００２６】
図２は、本実施形態を示す画像形成装置における各デバイス（機能部）の通電状態を示す図である。
図２において、○が通電されている状態を示し、×が通電されていない状態を示し、△は状況により通電されたり／されなかったりする状態を示す。詳細な状況に関しては、後にジョブ実行状態３０３で説明する。
【００２７】
図３は、本実施形態を示す画像形成装置における画像形成装置の電源供給状態の遷移を示す図である。なお、本状態はコントローラ１０内のメモリ１０２に保持されるものであり、ＣＰＵ１０３により判断・遷移される。
【００２８】
図３において、画像形成装置１は、スイッチ７１操作により、電源オフ状態３００から起動状態３０１に移行する（３１０）。電源オフの通電状態は、図２の電源オフであり、全てのデバイスが通電されていない状態である。
【００２９】
また、起動直後の通電状態は、図２の起動である。コントローラ部電力６２、プリンタ部電力６３、スキャナ部電力６４、汎用画像処理部電力６５の全ての外部デバイスに通電されている状態である。起動後、各デバイスの状態を取得し、ＨＤＤ装置１０４内にキャッシュ１０５として保存する。キャッシュについては表４を用い、後ほど詳しく説明する。起動が確認されると、すぐにスタンバイ状態３０２に移行する（３１１）。
【００３０】
複数のデバイスに対して電力の供給を停止するスタンバイ状態３０２の通電状態は、図２のスタンバイである。コントローラ部電力６２が通電されている状態である。操作部１０７からのユーザによる操作、ＬＡＮ１０６からのネットワーク経由等のジョブを受け付ける。プリンタ部電力６３、スキャナ部電力６４、汎用画像処理部電力６５はオフとなっている。また、起動シーケンスによっては、起動時にも外部デバイスに通電させず、電源オフ状態３００から、直接スタンバイ状態３０２に移行する（３１２）。この場合、各デバイスの状態を取得できず、キャッシュ１０５を更新できないため、前回起動時に保存したキャッシュを使用して動作する。
【００３１】
スタンバイ状態３０２からジョブを受信すると、ジョブ実行状態３０３に移行する（３１３）。ジョブ実行状態３０３の通電状態は、図２のジョブ実行である。ジョブの種類によって通電状態が変化するため、詳細を以下に記載する。
以下に記載する。
【００３２】
〔複写機能ジョブ〕
電源供給先としてスキャナ部電力６４とプリンタ部電力６３をＯＮにすることで先に述べたように複写機能が実行可能となる。
〔画像保存機能ジョブ〕
電源供給先としてスキャナ部電力６４のみをＯＮにすることで、読み取った画像データを保存する画像保存機能が実行可能となる。
〔画像印刷機能〕
電源供給先としてプリンタ部電力６３のみをＯＮにすることで、様々な画像データを印刷する画像印刷機能が実行可能となる。
〔画像送信機能〕
電源供給先としてスキャナ部電力６４のみをＯＮにし、読み取った画像データを送信する画像送信機能が実行可能となる。
〔ＦＡＸ受信プリント機能〕
電源供給先としてプリンタ部電力６３と汎用画像処理部電力６５をＯＮにし、受信したＦＡＸ画像に汎用画像処理を施したのちに印刷するＦＡＸ受信プリントが実行可能となる。
〔ＦＡＸ送信処理機能〕
電源供給先としてスキャナ部電力６４と汎用画像処理部電力６５をＯＮにし、読み込んだＦＡＸ画像データを公衆回線に送信するＦＡＸ送信処理機能が実行可能となる。
【００３３】
ここで、図３の電源状態の説明に戻り、ジョブが完了したらデバイスの電源を落とし、スタンバイ状態３０２に移行する（３１４）。使用する時だけ必要なデバイスのみを通電させることが可能となり、スタンバイ時の待機電力を削減することが可能となる。
【００３４】
スタンバイ状態３０２で、スイッチ７１をオフされると、再び電源オフ状態３００に移行する（３１５）。メンテナンス状態３０４は、サービスマンや特別な管理者が、機器のメンテナンスを行うときに使用するモード（メンテナンスモード）である。例えば、ファームウェアの変更、画像処理装置の構成の変更などを行うとき、このモードから操作を行う。このモードに移行するには、特定のキー操作入力、治具の使用等、特別な操作を必要とする（３２０）。
【００３５】
以下、メンテナンス状態３０４の通電状態等に関して、図４，図５等を参照して説明する。
図４は、図１に示したキャッシュ１０５で管理する特定の情報を説明する図である。本実施形態では、各デバイスのバージョン情報や印刷位置、光量調整、濃度調整、色味調整に関わる設定情報等が特定の情報として管理される。
図４の（Ａ）は、デバイスの型番および制御プログラムのバージョンを示したキャッシュ情報である。図４の（Ｂ）は、スキャナ装置に対して設定する設定項目および設定値を示したキャッシュ情報である。図４の（Ｃ）は、プリンタ装置に対して設定する設定項目および設定値を示したキャッシュ情報である。
【００３６】
これらのキャッシュ情報は、前述したように、起動状態３０１に移行した際に、デバイスの情報を取得し更新する。また、ジョブ実行状態３０３に移行し、通電させたデバイスのみ情報を取得して個別に更新することもある。
【００３７】
また、このキャッシュ情報は、不揮発性の記憶媒体であるＨＤＤ装置１０４に保存するため、電源オフ状態３００に移行しても保存状態が維持される。そのため、電源オフ状態３００から、起動状態３０１を経由せず直接スタンバイ状態３０２に移行する（３１２）起動シーケンスの場合は、起動時にデバイスから情報を取得せず、ＨＤＤ装置１０４に保存されているキャッシュ情報を使用して動作する。
【００３８】
また、これらの情報は、メンテナンス状態３０４で確認や再設定が可能な情報であり、主にサービスマンが操作を行う。例えば、スキャナ装置には光量調節や濃度調節を、プリンタ装置には画像位置調整や色味調整をユーザの要望によって設定する。本実施形態では、主な設定項目を例にあげたが、この項目限りではない。
【００３９】
図５は、本実施形態を示す画像形成装置の制御方法を説明するフローチャートである。本例は、メンテナンス状態３０４への移行および処理の流れに対応する。なお以下の説明において、制御と判断は、ＨＤＤ装置１０４に格納されている制御プログラムを、ＣＰＵ１０３が実行することによって行われる。
【００４０】
まず、Ｓ５００では、画像形成装置１は、スタンバイ状態３０２となっており、各デバイスの通電状態は、図３に示したスタンバイ状態３０２となっている。続く、Ｓ５０１において、ユーザによる操作部１０７操作により、コントローラ１０は、メンテナンス状態３０４に移行する特定の要求を受付る。続く、Ｓ５０２において、コントローラ１０は、ＣＰＵ１０３経由で、電源制御部１０１の信号１１０〜１１３を制御して、スイッチＳ１〜Ｓ４のオン／オフを制御することで、全てのデバイス（機能部）に通電させ、図２に示したメンテナンスと同じ通電状態にする。
【００４１】
続く、Ｓ５０３において、コントローラ１０は、Ｓ５０２で通電された全デバイス（１０，２，４，５）の情報を取得する。取得する特定の情報は、少なくとも（キャッシュ１０５（図４参照））を構成するための情報である。
さらに、メンテナンス画面を構成するために必要な情報だが、キャッシュに含まれないような情報も取得する。スタンバイ状態３０２では、コントローラ１０以外に通電させない（図２のスタンバイ状態３０２）状態となるため、前回キャッシュを取得したときから、デバイスの状態が変更されている可能性がある。例えば、通電していないためデバイスの交換が可能であり、実際はキャッシュと型番が異なっている可能性がある。また、接触不良等で、デバイスの設定が行えない可能性もある。このような場合、誤った情報を表示してしまうことになり、メンテナンス効率が落ちるため、必ずメンテナンス時は各デバイスの正しい情報を表示する必要がある。
続く、Ｓ５０４において、コントローラ１０は、キャッシュ１０５の内容をＳ５０３で取得した情報に更新する。続く、Ｓ５０５において、コントローラ１０は、Ｓ５０３で取得した情報を使用し、画面を作成し、ＵＩ１０９を表示する。
【００４２】
続く、Ｓ５０６において、ユーザが特殊操作を行うことで、コントローラ１０は、メンテナンス状態３０４へ移行する操作情報を受信し、メンテナンス状態３０４に移行する（３２０）。メンテナンス状態３０４中の処理については後述する。
【００４３】
続く、Ｓ５０７において、画像形成装置１は、プリンタ部電力６３、スキャナ部電力６４、汎用画像処理部電力６５の電力を断電し、必要があればスイッチ６３〜６５を操作し、スタンバイ状態３０２に移行する（３２１）。
【００４４】
図６は，本実施形態を示す画像形成装置の制御方法を説明するフローチャートである。本例は、メンテナンス状態３０４中の処理例である。なお以下の説明において、制御と判断は、ＨＤＤ装置１０４に格納されている制御プログラムを、ＣＰＵ１０３が実行することによって行われる。
【００４５】
まず、Ｓ６００において、コントローラ１０は、メンテナンス状態３０４を終了するか判断する。コントローラ１０は、ユーザが操作部１０７を操作することで、その操作情報を受信し、メンテナンス状態３０４を抜けるかを判断する。メンテナンス状態３０４を終了する（Ｓ６００のＹ）とコントローラ１０が判断した場合、続く、Ｓ６０１において、コントローラ１０は、メンテナンス状態３０４を終了し、Ｓ５０７へと続く。
【００４６】
一方，メンテナンス状態３０４を続行（Ｓ６００のＮ）とコントローラ１０が判断した場合、続く、Ｓ６０２において、コントローラ１０は、各デバイスへの設定項目の設定変更があるかないかを判断する。ユーザによる操作部１０７操作により、設定値の変更が操作されたかで判断する。
【００４７】
ここで，設定値の変更がある（Ｓ６０２のＹ）とコントローラ１０が判断した場合、続く、Ｓ６０３において、コントローラ１０は、設定値変更されたデバイス（２または４または５）へ通信し、設定値を書き換える。
例えば、スキャナ装置２の光量調整値が変更された場合は、スキャナ装置２と通信し、設定された値をスキャナ装置２に通知する。スキャナ装置２は、受信した設定値をＲＯＭ２４に保存する。
【００４８】
続く、Ｓ６０４において、キャッシュ１０５の内容を更新する。例えば、スキャナ装置の光量調整値が変更された場合は、スキャナ装置２（図４の（Ｂ）参照）の光量調整値をＳ６０３で設定した値に変更し、Ｓ６００へと続く。
一方，設定値の変更がない（Ｓ６０２のＮ）とコントローラ１０が判断した場合、Ｓ６００へと続く。
本実施形態によれば、画像形成装置は、サービス作業性を損なうことなく消費電力を抑えることができる。
〔第２実施形態〕
【００４９】
図７は、本実施形態を示す画像形成装置の制御方法を説明するフローチャートである。本例は、画像形成装置がメンテナンス状態３０４中の処理例である。なお以下の説明において、制御と判断は、ＨＤＤ装置１０４に格納されている制御プログラムを、ＣＰＵ１０３が実行することによって行われる。
【００５０】
まず、Ｓ７００において、コントローラ１０は、ＣＰＵ１０３経由で、電源制御部１０１がスイッチＳ１〜Ｓ４をオン／オフさせる信号１１０〜１１３を制御して、各デバイス（機能部）の通電状態を、スタンバイの通電状態（図２のスタンバイ）にする。Ｓ５０３において、各デバイスの情報を取得し終わったため、省エネのために不要なデバイスの通電を切る。
続く、Ｓ７０１において、Ｓ６００同様、コントローラ１０は、メンテナンス状態３０４を終了するか判断する。ここで、メンテナンス状態３０４を終了する（Ｓ７０１のＹ）とコントローラ１０が判断した場合、続く、Ｓ７０２において、コントローラ１０は、メンテナンス状態３０４を終了し、Ｓ５０７へと続く。
一方、メンテナンス状態３０４を続行（Ｓ７０１のＮ）と判断した場合、Ｓ６０２同様、続く、Ｓ７０３において、コントローラ１０は、各デバイスへの設定項目の設定変更があるかないかを判断する。
【００５１】
一方、設定値の変更がある（Ｓ７０３のＹ）とコントローラ１０が判断した場合、続く、Ｓ７０４において、コントローラ１０は、ＣＰＵ１０３経由で、電源制御部１０１がスイッチＳ１〜Ｓ４のための信号１１０〜１１３を制御して、設定値変更されたデバイス（スキャナ装置２またはプリンタ装置４または画像処理ユニット５）を通電させる。
例えば、プリンタ装置の色味調整値が変更された場合は、電源制御部１０１は、スイッチＳＷ１をオンし、プリンタ装置４を通電させる。スキャナ、画像処理ユニットの設定値が変更された場合も同様で、電源制御部１０１がスイッチＳ２、Ｓ２をオンし、該当デバイスに通電させる。
続く、Ｓ７０６において、Ｓ６０３同様、コントローラ１０は、設定値変更されたデバイスへ通信し、設定値を書き換え、デバイス内の不揮発性領域（ＲＯＭ２４またはＲＯＭ４５またはＨＤＤ装置１０４）に保存する。
【００５２】
続く、Ｓ７０６において、Ｓ６０４同様、コントローラ１０は、キャッシュ１０５の情報を更新する。例えば、プリンタの色味調整値が変更された場合は、プリンタ装置（表４−Ｃ）の色味調整値をＳ７０５で設定した値に変更する。
【００５３】
続く、Ｓ７０７において、コントローラ１０は、ＣＰＵ１０３経由で、電源制御部１０１の信号１１０〜１１３のオン／オフによりスイッチＳ１〜Ｓ４を制御して、Ｓ７０４で通電させたデバイスの通電を切る。つまり、スタンバイの通電状態（表２のスタンバイ）にし、Ｓ７０１へと続く。
一方，設定値の変更がない（Ｓ７０３のＮ）とコントローラ１０が判断した場合、Ｓ７０１へと続く。
本実施形態によれば、画像形成装置は、サービス中にも必要なデバイスのみ通電することにより、第１実施形態より消費電力を削減できる。
【００５４】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５５】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５６】
１０  コントローラ
【図１】
2015170002.tif 000003
【図２】
2015170002.tif 000004
【図３】
2015170002.tif 000005
【図４】
2015170002.tif 000006
【図５】
2015170002.tif 000007
【図６】
2015170002.tif 000008
【図７】
2015170002.tif 000009
【図８】
2015170002.tif 000010
【図９】
2015170002.tif 000011